(57)【要約】【課題】親機と子機とからなる電流表示装置において，親機を分電盤内に配設するとともに，分岐ブレーカ１個分のサイズとして取付け互換とし，専用の取付けスペースを必要とせず，取り付けが容易で，設置する電流表示装置の親機の数と同じ数だけの分岐ブレーカと取り替えればよく，分岐回路数を極力減らすことなく設置が可能であり，配線工事が必要なく見た目良く設置することが可能な電流表示装置の親機の提供を行うこと。【課題を解決するための手段】分電盤に配設される親機により電路に流れる電流を監視し，電路の電流使用情報を子機に向けて無線送信し，前記現在使用電流の情報を子機側に表示する電流表示装置において，分電盤に配設される分岐ブレーカ１個分の大きさで，分岐ブレーカと同一の位置に分岐用銅バーに接続される接続端子と，分電盤の表面に露望する面には監視電流レベルを設定する監視電流設定部と，残りのいずれかの面には電流検出手段と電気的に接続される接続部とを有し，分岐ブレーカと併設して分電盤に配設されることを特徴として電流表示装置における親機を提供した。【選択図】図１
2005017244.tif 000002
【特許請求の範囲】
【請求項１】
分電盤に配設される親機により電路に流れる電流を監視し，電路の電流使用情報を子機に向けて無線送信し，前記現在使用電流の情報を子機側に表示する電流表示装置において，分電盤に配設される分岐ブレーカ１個分の大きさで，分岐ブレーカと同一の位置に分岐用銅バーに接続される接続端子と，分電盤の表面に露望する面には監視電流レベルを設定する監視電流設定部と，残りのいずれかの面には電流検出手段と電気的に接続される接続部とを有し，分岐ブレーカと併設して分電盤に配設されることを特徴とした電流表示装置における親機。
【請求項２】
前記分岐ブレーカは，安全ブレーカであり，親機は安全ブレーカサイズであって各々の分岐ブレーカと取付け互換であることを特徴とした電流表示装置における親機。
【発明の詳細な説明】
【０００１】
【発明の属する技術分野】本発明は，電路に流れる電流を検出して，住宅などにおいて電気の使い過ぎでブレーカが動作する前に電気の使い過ぎを知らせる電流表示装置の親機に関する。
【０００２】
【従来の技術】従来，住宅において電気の使い過ぎでブレーカが動作する前に警報を発するようなものとして，特許文献１のようなものがあった。この装置は分電盤に組込んで使用されるもので，分電盤への組付けや分岐ブレーカへの交換が容易な過電流警報装置および分電盤を提供することを目的としている。筐体は，過電流警報装置の横幅を分岐ブレーカの整数倍の２倍もしくは３倍とし，スピーカを設け，ブスバーの電極と電気的接続を得るための第１の開口部の他に，過電流警報装置の取り付けに障害となる電極を収容するための第２の開口部を設けたことで，電極のカットや電極およびビスの取り外しなどの加工を施す必要がなくなり，分電盤への装置の組み付けを容易に行なうことができるようになっている。該装置は，接続された変流器（ＣＴ）により電流を検出し，設定した電流を超えて電流を使用すると，スピーカから「ピッピッピッ，電気を使い過ぎています。」というメッセージをメッセージを送出する。
【０００３】しかしながら，特許文献１の警報装置は分電盤に直付けで設置されるので，音声による過電流警報は分電盤設置場所の近傍でしか認識できないという問題があった。分電盤は通常台所とか脱衣場など住宅内でも常時は人がいない場合が多い場所に目立たないように設置されるのが一般的であり，そのような場所で警報を発しても別の場所で電気器具を使用する場合はその場所まで警報が届かず，定格電流に対して，あとどれぐらい電流の余裕があるか分からず，表示や過電流警報が役に立ちにくいという問題がある。そのまま電気器具を使い続けた場合，分電盤の主開閉器が動作してしまい電路全体が停電になるという恐れがあった。
【０００４】また，装置の筐体の横幅を分岐ブレーカの整数倍，特に２倍もしくは３倍とし，ブスバーの電極と電気的接続を得るための第１の開口部の他に，過電流警報装置の取り付けに障害となる電極を収容するための第２の開口部を設けて該装置を形成しているために，装置を取り付けるためには，分岐ブレーカを複数個取外す必要がある。即ち，分岐回路数が複数個減ることになる。昨今では，電磁調理器や温水器など，負荷容量の大きいものについては専用のブレーカを介して配線を行うことが多いが，分岐ブレーカの数が減った場合，その分の負荷を他のブレーカに共用させるよう配線を行うことになる。そのためブレーカの電流容量を越えて遮断動作しやすくなり，使用者に不便が生ずるという課題がある。
【０００５】さらに，装置には外部スピーカを接続できるようになっているが，有線による接続のため，スピーカの設置には配線施工を行う必要が生じ，設置には手間がかかる。さらに，インテリア的には壁に配線があると見た目にが美観を損なう場合があるなどの問題がある。
【０００６】そこで，これらの課題点を改善するために，特許文献２のように，一時的に電気器具を使用するその場所で確実に電気使用量や警報の情報を得られるようにして可能な限り住戸内の全停電を防止することを目的とした電流表示装置の発明が行われている。
【０００７】図７（特許文献２の図１）によれば，この装置は，定格電流を超えると自動で電路を遮断するブレーカと併用し，該ブレーカの定格電流に応じた監視電流を設定するとともにブレーカの通電電流を検出して該監視電流に対するブレーカの通電電流余裕の情報を表示する，親機と子機からなる装置であって，親機には通電電流検出部と信号処理部と無線送信部を備え，子機には無線受信部と信号処理部と情報表示部を備えるとともに，親機または子機には前記ブレーカの定格電流に応じた監視電流レベルを設定する手段と該監視電流レベルに対する使用電流の状態を演算する手段を有し，子機の電源は子機に設けられたプラグを介して前記ブレーカの負荷側のコンセントから供給されるか，または電池から供給されて子機の場所を移動可能にしたことを特徴とした電流表示装置である。
【０００８】
【特許文献１】
特開平２００１−２１８３１３号公報（第６図）
【特許文献２】
特願２００３−３３７２２０号（第１図）
【０００９】
【発明が解決しようとする課題】
しかしながら，前記電流表示装置の親機においては，分電盤内外への取付けを想定して親機を構成しているため，取付けには専用の取付けスペースもしくは取付け金具等が必要になり，容易に取付けが行えない場合があるという問題があった。また，電池による使用を想定しているため親機本体には電池収容部分を設ける必要があり小型化できないという課題があった。併せて，特許文献１の過電流警報装置のように装置を取り付けるためには，分岐ブレーカを複数個取外す必要があり，分岐ブレーカの数が複数減るという課題がある。
【００１０】そこで本件の発明は，上述のような問題を解決するために，親機と子機とからなる電流表示装置において，親機を分電盤内に配設するとともに，分岐ブレーカ１個分のサイズとして取付け互換とし，専用の取付けスペースを必要とせず，取り付けが容易で，設置する電流表示装置の親機の数と同じ数だけの分岐ブレーカと取り替えればよく，分岐回路数を極力減らすことなく設置が可能であり，配線工事が必要なく見た目良く設置することが可能な電流表示装置の親機の提供を行うことを目的としている。
【００１１】
【課題を解決するための手段】
以上のような課題を解決するために，請求項１の発明においては，分電盤に配設される親機により電路に流れる電流を監視し，電路の電流使用情報を子機に向けて無線送信し，前記現在使用電流の情報を子機側に表示する電流表示装置において，分電盤に配設される分岐ブレーカ１個分の大きさで，分岐ブレーカと同一の位置に分岐用銅バーに接続される接続端子と，分電盤の表面に露望する面には監視電流レベルを設定する監視電流設定部と，残りのいずれかの面には電流検出手段と電気的に接続される接続部とを有し，分岐ブレーカと併設して分電盤に配設されることを特徴として電流表示装置における親機を提供したものである。
【００１２】請求項２の発明においては，前記分岐ブレーカは，安全ブレーカであって，親機は安全ブレーカサイズであって各々の分岐ブレーカと取付け互換であることを特徴として電流表示装置における親機を提供したものである。
【００１３】
【発明の実施の形態】
以下に本件発明を図面を用いて詳細に説明する。図１は本件発明の第一の実施例を用いた電流表示装置を説明する図である。図において１は分電盤，２は主幹ブレーカで場合によっては該主幹ブレーカの電源側に電流制限器（リミッターという）が設けられる。３は主幹ブレーカ２の負荷側に接続される分岐ブレーカで図示していないが複数存在する。６は分岐ブレーカ３の負荷側に設けられるコンセントである。４０１は電流検出手段である電流センサーで，主幹ブレーカ２に通ずる電流を検出できればブレーカ２の電源側でも負荷側でも設置可能である。なお，本実施例では主幹ブレーカが単相３線式配線用であるので電流センサーをふたつ設置しているが，単相２線式用の場合はひとつでよい。
【００１４】４は電流表示装置の親機で，センサー信号処理部４０２と電流レベル設定部４０３と無線送信部４０４を有する。電流レベル設定部４０３はロータリースイッチで複数の監視電流を手動で設定できるよう構成しているが，あらかじめ製造時に１つの値に固定しておくようにしてもよい。親機４は分電盤１内に設置されている。
【００１５】１００は電流表示装置の子機本体のブロック図で，無線受信部１０１と信号処理部１０２と情報表示部１０３と音声発生部１０４と電源プラグ部１０５とコンセント部１０６と伝導体１０７と電源部１０８と該無線受信部１０１と接続されるアンテナ部１１３とを有する。なお親機４の電源は電池からではなく分電盤の分岐用銅バーから供給され，子機本体１００の電源は，任意の位置のコンセント６から供給される。
【００１６】監視電流設定部４０３がロータリースイッチ等で複数の監視電流を設定できる場合，まず親機４の監視電流設定部４０３を手動で操作して監視電流を主幹ブレーカ２の定格電流に合わせておく。４０１の電流センサーは夫々の貫通した電路の通電電流に応じた大きさの信号を出力する。４０２の信号処理部は，監視電流に対する現在電流の比率（％など）を演算し，比率の区分毎に予め定め対応させた警報値データ（使用電流情報）の抽出処理を行い，現在使用電流が電流制限器やブレーカの定格電流に対して上回り，使い過ぎているかどうかの判断などを行う。そして警報値データを使用電流情報として無線送信部４０４に送出し無線送信部４０４はそのデータを無線信号として子機本体１００に送信する。なお，前記使用電流情報の演算は主幹ブレーカ２の電源側にリミッターが設けられている場合は各相の合計電流で演算され，それ以外は各相毎に演算される。
【００１７】子機１００の働きを集約して説明すると，次のようになる。子機１００は，親機からの無線信号（使用電流情報）をアンテナ部１１３と１０１の無線受信部で受信し，信号処理部１０２で使用電流情報を抽出し，該使用電流情報に応じて予め定められた動作仕様により１０３の情報表示部と１０４の音声発生部を駆動する。
【００１８】情報表示部１０３は複数のＬＥＤから成り，例えば，監視電流レベルに対する現在使用電流の割合（％）を段階的に発光表示し，あとどれぐらい電流を使えるかといった余裕情報を視覚的に表示する。
【００１９】音声発生部１０４は現在使用電流の割合が設定値を超えた場合に信号処理部１０２からの指示で音声警報を発生する。現在の使用電流値が主幹ブレーカの定格電流に対して使い過ぎている場合，即ち１００％以上である場合にはＬＥＤで発光表示を行うとともに，音声発生部から「電気の使い過ぎです」などと警報する。
【００２０】図２には，親機の外形図を示している。４は親機，４０３は監視電流設定部，４０５は接続端子，４０７はリミッターブレーカ切替部，４０８は動作確認ランプ，４０９は電流検出手段との接続部である。
【００２１】親機４は安全ブレーカと互換サイズであり，親機４の幅，長さ，電源側の接続端子の配置等は同一に構成してある。接続端子４０５は分電盤の分岐用銅バーに差し込まれ，端子ねじにより接続固定され，親機４の電源は分電盤の分岐用銅バーから供給される。
電流検出手段との接続部４０９は分岐ブレーカ本来の負荷端子部に相当する部分からリード線を延出させ，一端には，変流器（ＣＴ）で形成される電流センサー４０１と接続されるコネクターを設けている。電流検出手段との接続部４０９はリード線とコネクターで形成しているが，本体に直接コネクタを配設して，電流センサーからの入力を得るように構成してもよい。動作確認ランプ４０８は親機の本体４に電源が供給されている場合に点灯表示するもので，ＬＥＤで構成されている。
【００２２】図３は親機４を分電盤１に取り付けるところの図を示しており，３は分岐ブレーカ，３０１は各分岐ブレーカに電源を分配する分岐用銅バーである。このような分電盤に本件発明による親機４を取付ける場合，分岐ブレーカ３を１個取り外し，その位置の分岐用銅バー３０１にそのまま差込むよう配設すれば，分岐用銅バー３０１は本体４の接続端子４０５内に挿入される。その後，分電盤への取付けねじで親機を固定するとともに，接続端子ねじで銅バーと接続端子を締め付け固定を行い，取付けを完了する。
【００２３】このように，親機４と分岐ブレーカ３の寸法を互換としているために，親機４を分電盤に取付ける際には，取外す分岐ブレーカ３の数は最小限で済み，なおかつ取付け方法も分岐ブレーカ３を取付けるときと同様である。また取付けに伴う配線工事等は必要なく，容易に設置を行うことができる。
【００２４】次に，親機の形状について第二の実施例を説明する。図４には親機の第二の外形図を示している。４１は親機，４０３１は監視電流設定部，４０５１は接続端子，４０７１はリミッターブレーカ切替部，４０８１は動作確認ランプ，４０９１は電流検出手段との接続部である。
【００２５】親機４１は近年開発された薄型の分岐ブレーカと互換サイズであり，親機４１の幅，接続端子の配置等は同一に構成してある。ここで，近年開発された薄型の分岐ブレーカとは，図５の３１に示しているように，幅方向が従来の安全ブレーカの２分の１の幅で構成された分岐ブレーカのことで，従来の安全ブレーカから置き換えが進んでいる新型の分岐ブレーカのことである。本発明では，この薄型の分岐ブレーカは，安全ブレーカと使用目的が同一ということから次世代の安全ブレーカであると位置付けている。接続端子４０５１は速結端子を用いており，分電盤の分岐用銅バーに差し込まれることで接続固定され，親機４１の電源は分電盤の分岐用銅バーから供給される。
【００２６】電流検出手段との接続部４０９１は分岐ブレーカの接続端子が位置する電源側とは反対側の負荷側から延出しており，一端には，変流器（ＣＴ）で形成される電流センサー４０９と接続されるコネクターが設けられている。電流検出手段との接続部４０９１は実施例１と同様，リード線とコネクターで形成しているが，本体に直接コネクタを配設して，電流センサーからの入力を得るように構成してもよい。動作確認ランプ４０８１は親機４１に電源が供給されている場合に点灯表示するもので，ＬＥＤで構成されている。
【００２７】図５は親機４１を分電盤１に取り付けるところの図を示しており，３１は分岐ブレーカ，３０１１は各分岐ブレーカに電源を供給する分岐用銅バーである。本実施例の分電盤を構成する分岐ブレーカは，協約形遮断器一極分以下の幅で構成された薄型の分岐ブレーカであり，電源側の接続端子には速結端子を用いて構成されている。
【００２８】
このような分電盤に本件発明による親機４１を取付ける場合，分岐ブレーカ３を１個取り外し，その位置の銅バー３０１１にそのまま差込むよう配設すれば，接続端子４０５１に速結端子を用いているため，分岐用銅バー３０１１は親機４１の接続端子４０５１内に挿入固定される。その後，親機４１を分電盤に取付けレバーで取付け，固定する。
【００２９】このように，親機４１と分岐ブレーカ３１の寸法を互換としているために，過電流警報装置の親機４１を分電盤に取付ける際には，取外す分岐ブレーカ３１の数は最小限で済み，なおかつ取付け方法も分岐ブレーカ３１を取付けるときと同様である。
【００３０】
【発明の効果】
親機と子機とからなる電流表示装置において，親機を分電盤内に配設するとともに，分岐ブレーカ１個分のサイズとして取付け互換とし，専用の取付けスペースを必要とせず，取り付けが容易で，設置する電流表示装置の親機の数と同じ数だけの分岐ブレーカと取り替えればよく，分岐回路数を極力減らすことなく設置が可能であり，配線工事が必要なく見た目良く設置することが可能な電流表示装置の親機の提供を行うことが可能である。
【図面の簡単な説明】
【図１】本実施例を示したブロック図
【図２】親機本体の外形図
【図３】分電盤に親機本体を取り付ける図
【図４】第二の親機の外形図
【図５】分電盤に親機本体を取り付ける図
【図６】従来例を示した図。
【図７】従来例を示した図。
【符号の説明】
１    分電盤
２    主幹ブレーカ
３    分岐ブレーカ
３１  分岐ブレーカ
４    本体
４０１  電流センサー
４０２  信号処理部
４０３  監視電流設定部
４０４  無線送信部
４０５  接続端子
４０７  リミッターブレーカ切替部
４０８  動作確認ランプ
４０９  電流検出手段との接続部
６    コンセント
１００  子機
１０１  無線受信部
１０２  信号処理部
１０３  情報表示部
１０４  音声発生部
１０５  電源プラグ部
１０６  コンセント部
１０７  伝導体
１０８  電源部
１１３  アンテナ部
３０１  分岐用銅バー
４１    本体
４０３１  監視電流設定部
４０５１  接続端子
４０７１  リミッターブレーカ切替部
４０８１  動作確認ランプ
４０９１  電流検出手段との接続部
【図１】
2005017244.tif 000003
【図２】
2005017244.tif 000004
【図３】
2005017244.tif 000005
【図４】
2005017244.tif 000006
【図５】
2005017244.tif 000007
【図６】
2005017244.tif 000008
【図７】
2005017244.tif 000009